(57)【要約】【課題】  この発明は、取水路に配設される除塵装置において、固定スクリーンの前後を円滑に回動することのできる掻塵具を提供する。【解決手段】  取水路に配設される除塵装置において、固定スクリーン１２の前後を、循環ガイドレール１６に沿って、後降前昇で回動する掻塵具１であって、横長基体２の両側部に側板３が配設され、横長基体２の上面に掻歯板４が配設され、側板３の外面において、前縁部に掻歯板４と平行位置に上下一対の前ローラ５ｂ、５ｃが配設され、上部を掻歯板より上方へ突出された側板に上ローラ５ａが配設され、側板３の外面に、無端チェーン１７に固定される固定部７が突出形成されている、除塵装置の掻塵具１。【選択図】    図３
2006342544.tif 000002
【特許請求の範囲】
【請求項１】
取水路に配設される除塵装置において、固定スクリーンの前後を、循環ガイドレールに沿って、後降前昇で回動する掻塵具であって、横長基体の両側部に側板が配設され、横長基体の上面に掻歯板が配設され、側板の外面において、前縁部に掻歯板と平行位置に上下一対の前ローラが配設され、上部を掻歯板より上方へ突出された側板に上ローラが配設され、側板の外面に、無端チェーンに固定される固定部が突出形成されていることを特徴とする、除塵装置の掻塵具。
【請求項２】
前記側板の外面後縁部に、上下一対の支持ローラが配設されていること、を特徴とする請求項１に記載された、除塵装置の掻塵具。
【請求項３】
前記各ローラはナイロン樹脂製であること、を特徴とする請求項１．２のいずれかに記載された、除塵装置の掻塵具。
【請求項４】
前記横長基体は管体で、側板により密封され、中空に形成されていること、を特徴とする請求項１〜３のいずれかに記載された、除塵装置の掻塵具。
【発明の詳細な説明】
【技術分野】
【０００１】
本発明は、取水路に配設される除塵装置の掻塵具に係り、特に円滑な回動をすることの出来る掻塵具に関する。
【背景技術】
【０００２】
従来、水路に配設される除塵装置は、水路を横切って配設される固定スクリーンの前後を、後降前昇状に無端チエーンによって回動するレーキにより、固定スクリーンに引っかかった流木などを、掻上げて背後の集塵箱に集めている。固定スクリーンの上部で循環ガイドの屈曲部の下部には、固定エプロンが配設されている。
前記固定スクリーンは、下部に路底との間に間隙があり、その間隙を閉塞するように可動スクリーンが配設され、側面略く字状に配設された循環ガイドレールによりレーキが案内され、固定スクリーンの下部では、レーキは可動スクリーンの上部を、上流側に押して間隙を作り上方へ通過する。  
左右の無端チエーン間に横架されたレーキは、横長基体に掻歯板が配設され、掻歯板の内歯は固定スクリーンの塵埃を掻き、外歯は可動スクリーンの塵埃を掻くように構成されている。
前記可動スクリーンの上部を、上流側に押す手段として、例えば実公平７−５６３３６号では、掻歯板の前部で横長基体の側部に、側面略カマボコ形スライダを配設し、該スライダーの回動によって、可動スクリーンを押し開くように構成されている。
【発明の開示】
【発明が解決しようとする課題】
【０００３】
前記カマボコ形スライダは、板体なので、剛性、耐久性に優れているが、前後の中間外部がカマボコ状に突出しており、上部に掻歯板が配設されている。一方、可動スクリーンの揺動案内板は、側面略く字形をしているので、スライダと揺動案内板の突出部同士が接触する時は、可動スクリーンの上方部に掻歯板があり、掻歯板の下部と可動スクリーン上部との間に隙間が生じるため、塵が挟まることがあった。また循環ガイドレールの上方屈曲部では、無端チエーンに弛みが生じると、レーキが重量で降下して、固定エプロンに接触するなどの問題があった。
【課題を解決するための手段】
【０００４】
この発明の除塵装置の掻塵具は、横長基体の両側部に配設された側板の、上下前部にローラが配設された。発明の具体的な内容は次の通りである。
【０００５】
(1)  水路に配設される除塵装置において、固定スクリーンの前後を、循環ガイドレールに沿って、後降前昇で回動する掻塵具であって、横長基体の両側部に側板が配設され、横長基体の上面に掻歯板が配設され、側板の外面において、前縁部に掻歯板と平行位置に上下一対の前ローラが配設され、上部を掻歯板より上方へ突出された側板に上ローラが配設され、側板の外面に、無端チェーンに固定される固定部が突出形成されている、除塵装置の掻塵具。
【０００６】
(2)  前記側板の外面後縁部に、上下一対の支持ローラが配設されている、前記(1)に記載された、除塵装置の掻塵具。
【０００７】
(3)  前記各ローラは、ナイロン樹脂製である、前記(1)(2)のいずれかに記載された除塵装置の掻塵具。
【０００８】
(4)  前記横長基体は管体で密封されて、中空に形成されている、前記(1)〜(3)のいずれかに記載された除塵装置の掻塵具。
【発明の効果】
【０００９】
本発明によると、次のような効果がある。
【００１０】
(1)  請求項１に記載された発明の除塵装置の掻塵具は、掻歯板の前上部にローラが配設されているので、傾斜している可動スクリーンに、前掻歯があたらないうちに、上ローラが可動スクリーンの作動杆を押して、スクリーンバーを移動させるので、前掻歯をスクリーンバーに直交する状態で進行させて、可動スクリーンに付着している塵埃を、効率良く除去させることができる。
掻歯板の下前部に前ローラが配設され、上ローラは、前上ローラよりも後方に位置して配設されているので、循環ガイドレールの下部における、折返しによる掻塵具の反転時に、可動スクリーンの作動杆に対する、上ローラから前上ローラへの引継が円滑に行われる。
前上ローラと前下ローラとが上下に並設されているので、横長基体が上下に厚みが大きくても、掻塵具の通過時に、可動スクリーンの作動杆が、横長基体に接触することがなく、円滑に作動杆を元の位置に戻して、可動スクリーンを閉ざすことができ、大型除塵装置用に横長基体が大きくなっても、構造的に対応出来る。
【００１１】
(2)  請求項２に記載された発明の除塵装置の掻塵具は、側板の外後縁部に、掻塵具の重量を支持出来る支持ローラが配設されているので、固定エプロンの上部を掻塵具が通過するときに、車輪が支持レール上を滑走できるため、チェーンが伸びて掻塵具が垂れることがあっても、固定エプロンをこすることがない。
【００１２】
(3)  請求項３に記載された発明の除塵装置の掻塵具は、各ローラがナイロン樹脂製なので、水中でも耐久性に優れている。
【００１３】
(4)  請求項４に記載された発明の除塵装置の掻塵具は、横長基体を管体とし中空に形成されているので、大きくても水中で比重が軽くなり、巻上げに負担になりにくい。  
また、水路幅の広い水路に配設される除塵装置に適合する、大きなものとしても、軽量で剛性を高めることができる。  
【発明を実施するための最良の形態】
【００１４】
掻塵具の基体における左右両側板の外に、複数のローラを配設し、多ローラ式とした。
【実施例１】
【００１５】
本願発明の実施の形態例を、図面を参照して説明する。図１は本発明に係る除塵装置の掻塵具を配した、除塵装置の概略を示す側面図で、図の左方が上流である。図２は掻塵具と可動スクリーンの要部側面図、図３は掻塵具の要部側面図、図４は掻塵具の平面図、図５は掻塵具の要部正面図、図６は固定エプロン部分での掻塵具の平面図、図７は掻塵具の右側面図、図８は掻塵具の右側端部正面図である。本文における上下の表現は図３によるものである。
【００１６】
図１において除塵装置(10)は、水路(A)を横断するように、両側に一対配設される基枠(11)に、固定スクリーン(12)が、上部を下流側へ傾斜させて配設され、その下部に間隙が形成されている。該下部間隙を閉塞するように、可動スクリーン(13)が、水路底に配設されたスクリーン軸(13a)を支点に、上部を前後に揺動自在に配設されている。
【００１７】
可動スクリーン(13)は、図２．図４に示すように、スクリーン軸(13a)の左右端部に作動杆(14)が配設され、左右作動杆(14)の間に、複数の縦向きスクリーンバー(15)が、横へ定間隔に配設されている。作動杆(14)とスクリーンバー(15)とは、スクリーン軸(13a)を中心に共動するように構成されている。
【００１８】
固定スクリーン(12)の両側部に位置して、基枠(11)に循環ガイドレール(16)が、左右対象に配設されている。該循環ガイドレール(16)の内側に位置して、無端チェーン(17)が、スプロケット(18)で回転されるように配設されている。その軸(18a)には、図示しない駆動機が連結されている。
【００１９】
無端チェーン(17)は、図４に示すように、フランジ付きローラ(17a)を、リンクバー(17b)で結び、ピン(17c)結合させたものである。
掻塵具(1)は、その左右端部の固定部(7)を、左右循環ガイドレール(16)の無端チェーン(17)の、リンクバー(17b)間に横架されている。該掻塵具(1)は、１チェーン(17)に、所定間隔をおいて複数配設される。
【００２０】
固定スクリーン(12)は、幅は水路(A)幅に合わせて、例えば４ｍ、高さは水路(A)の水深に合うものとされる。循環ガイドレール(16)は、水路底から伸びて、水路上に例えば２ｍほど突出され、上部は下流側へ、略く字形に湾曲されている。該湾曲部の下で固定スクリーン(12)の上方部において、固定エプロン(19)が配設されている。
【００２１】
左右基枠(11)間で、左右循環ガイドレール(16)上部に、スプロケット(18)が軸(18a)を介して配設され、スプロケット(18)に巻装された無端チェーン(17)が、循環ガイドレール(16)に沿って循環回動可能に収容されている。
【００２２】
掻塵具(1)は、横長基体(2)の左右両端部に、側板(3)が配設されている。横長基体(2)は、水路幅に合わせて、長さは例えば３８００ミリで、上下２００ミリ、前後１００ミリの断面長方形の管体である。この寸法は除塵装置の大きさに合わせて適宜設定される。
【００２３】
側板(3)は横長基体(2)の側面を覆い、横長基体(2)より前後に長く、また上前部に上方へ突出する突出部(3a)が形成されている。側板(3)に両端を密封された横長基体(2)は、中空体であるので、水中では比重が軽くなり、巻上時に重量負担となりにくい。
【００２４】
横長基体(２)の上部に、掻歯板(4)が基体(２)と平行に固定され、掻歯板(4)の後部は、側板(3)より後方へ突出する後掻歯(4a)が形成されている。また掻歯板(4)の前部は、側板(3)より長く突出され、その先端部を上方へ屈曲されて、前掻歯(4b)が形成されている。
【００２５】
側板(3)の外面で前縁部に、例えば直径６０ミリほどの前上ローラ(5b)前下(5c)が、上下一対で配設されている。また前記側板(3)の突出部(3a)の外面に、上ローラ(5a) が配設されている。該上ローラ(5a)は、前上ローラ(5b)に対して、ローラ径ほど後方寄りに配設されている。
【００２６】
側板(3)の外後縁部には、上下一対の支持ローラ(6)が、側板(3)より突出しない位置に配設されている。ローラ径は４０ミリほどである。前記各ローラはナイロン樹脂製なので、水中で耐久性に優れている。 
側板(3)の外面には、固定部(7)が突設され、該固定部(7)は前記無端チェーン(17)のリンクバー(17c)に固定される。  
【００２７】
図１において、掻塵具(1)は、固定スクリーン(12)の背後を、循環ガイドレール(16)に沿って降下し、図２に示す下部において、上ローラ(5a)が可動スクリーン(13)の作動杆(14)に接触し、これを押すことにより、作動杆(14)の上部を上流側に揺動させて通過する。
その通過時に前掻歯(4b)が、可動スクリーン(13)のスクリーンバー(15)に付着している枝、木の葉、草等の塵埃を掻上げる。
【００２８】
作動杆(14)は、図２に示すように、側面略く字形に設定されている。従って、図２において掻塵具(1)が前進して、スクリーンバー(15)先端部が前掻歯(4b)から離れると、作動杆(14)の屈曲部が、上ローラ(5a)と前上ローラ(5b)の間に位置し、上ローラ(5a)が背後寄りに配設されているので、大きな開口をせずに、上ローラ(5a)から前上ローラ(5b)への引継が円滑に行われる。次に前下ローラ(5c)に引継がれて、作動杆(14)の上部が、円滑に後方へ揺動する。
【００２９】
この場合、横長基体(2)の厚みが、例えば２００ミリと大きくても、前下ローラ(5c)があるために、掻塵具(1)の通過時に、作動杆(14)が横長基体(2)に接触することはない。このことは、水路幅が幅広いものになって、横長基体(２)を大きなものにする必要があっても、前下ローラ(5c)を配設するという構造から、横長基体(1)の通過に支障が生じることはないので、本願掻塵具(1)は、大きな除塵装置に対応することができる。
【００３０】
図６は、図１における固定エプロン(19)部分の要部平面図である。可動スクリーン(13)から、後掻歯(4a)が掻上げた塵埃は、固定エプロン(19)の上を後掻歯(4a)によって引きあげられる。固定エプロン(19)の左右端部に、支持レール(20)が配設されており、前記掻塵具(1)の支持ローラ(6)が支持レール(20)の上を滑走する。これによって、無端チェーン(17)の弛みにより掻塵具(1)が降下しても、後掻歯(4a)が固定エプロン(19)と摺接することはない。
【００３１】
図７は、掻塵具の右側面図で、図８は掻塵具の右側端部正面図である。前記固定部(7)には、図８に示すように、上下方向へ一対の止孔(7a)が形成されている。該止孔(7a)には図７に示すように、ボルト(7b)が装着され、無端チェーン(17)の固定部(17d)に連結される。
【００３２】
なおこの発明は、前記実施例に限定されるものではなく、目的に沿って適宜設計変更をすることができる。
【産業上の利用可能性】
【００３３】
水路を流れる枝草などを円滑に取除く除塵装置に使用される。特に貯水池の大型水路に配設される除塵装置に、使用することができる。  
【図面の簡単な説明】
【００３４】
【図１】本発明に係る除塵装置の掻塵具の概略側面図である。
【図２】本発明に係る除塵装置の掻塵具と可動スクリーンとの概略側面図である。
【図３】本発明に係る除塵装置の掻塵具の要部側面図である。
【図４】本発明に係る除塵装置の掻塵具の要部平面図である。
【図５】本発明に係る除塵装置の掻塵具の要部正面図である。
【図６】本発明に係る除塵装置の掻塵具の要部平面図である。
【図７】本発明に係る除塵装置の掻塵具の右側面図である。
【図８】本発明に係る除塵装置の掻塵具の右側部正面図である。
【符号の説明】
【００３５】
(1)掻塵具
(2)基体
(3)側板
(4)掻歯板
(4a)後歯板
(4b)前歯板
(5a)上ローラ
(5b)前上ローラ
(5c)前下ローラ
(6)支持ローラ
(7)固定部
(7a)止孔
(7b)ボルト
(10)除塵装置
(11)基枠
(12)固定スクリーン
(13)可動スクリーン
(13a)スクリーン軸
(14)作動杆
(15)スクリーンバー
(16)循環ガイドレール
(17)無端チェーン
(17a)ローラ
(17b)リンクバー
(17c)ピン
(17d)固定部
(18)スプロケット
(19)固定エプロン
(20)支持レール
【図１】
2006342544.tif 000003
【図２】
2006342544.tif 000004
【図３】
2006342544.tif 000005
【図４】
2006342544.tif 000006
【図５】
2006342544.tif 000007
【図６】
2006342544.tif 000008
【図７】
2006342544.tif 000009
【図８】
2006342544.tif 000010